(57)【要約】      （修正有）【課題】永久磁石とゲルマニウムの効果を相乗的に生かし、かつ、身体のツボを刺激することで、身体の痛みの原因を効果的に軽減することができるベルトを提供する。【解決手段】身体に巻着するベルト本体２の長さ方向略中央位置に埋設した硬質板３に、一対の突起部材４を設け、前記突起部材４は、前記硬質板３に固定した永久磁石と、この永久磁石の先端に固定したゲルマニウムとの組合わせによって形成する。また、前記ベルト本体２における内皮材２ｂの突起部材４に臨む部分を、この突起部材４で外方に押出すことによって身体当接面側に突出する突出部７となるように構成する。【選択図】図１
0003168696.tif 000002
【実用新案登録請求の範囲】
【請求項１】
身体に巻着するベルト本体と、前記ベルト本体の長さ方向の略中央位置で、このベルト本体を形成する外皮材と内皮材の間に埋設した硬質板と、同じく前記外皮材と内皮材の間に埋設され、前記硬質板の内皮材に臨む面でベルト本体の長さ方向に沿って距離を隔てた両側の位置に固定した一対の突起部材とからなり、
前記突起部材が、前記硬質板に固定した永久磁石と、この永久磁石の先端に固定したゲルマニウムとの組合わせによって形成され、
前記ベルト本体における内皮材の突起部材に臨む部分が、この突起部材で外方に押出されることによって身体当接面側に突出する突出部になっているベルト。
【請求項２】
上記突起部材を形成する永久磁石が円板状となり、この永久磁石の先端に接着固定したゲルマニウムが無機の結晶を用い、永久磁石の先端面から半球状に突出する形状に形成されている請求項１に記載のベルト。
【請求項３】
上記ベルト本体は、両端部に一対の係止手段が設けられ、身体の腰に巻く腰ベルトと、身体の首に巻く首ベルトと、身体の脚に巻く脚ベルトの内の何れか一つに形成されている請求項１又は２に記載のベルト。
【考案の詳細な説明】
【技術分野】
【０００１】
この考案は、人体の腰や首、脚等に巻着することにより、永久磁石とゲルマニウムによって痛みの原因を軽減すると同時に、人体のツボを効果的に刺激して痛みを緩和することができるベルトに関する。
【背景技術】
【０００２】
身体の腰に巻着するベルト本体の内部に永久磁石を設け、磁力線によって体内の血流を良くし、腰痛やコリを解消するようにしたベルトは既に提案されている（例えば、特許文献１参照）。
【０００３】
また、同様に、生態電流の乱れを整えることにより、腰痛の原因を取り除く目的で、身体に巻着するベルト本体の身体当接面に無機ゲルマニウムを含有するシート材を固定したベルトが提案されている（例えば、特許文献１参照）。
【先行技術文献】
【特許文献】
【０００４】
【特許文献１】実用新案登録第３１５８９０７号公報
【特許文献１】実用新案登録第３１４８０３５号公報
【考案の概要】
【考案が解決しようとする課題】
【０００５】
ところで、上記した従来のベルトは、永久磁石又はゲルマニウムの単用であり、何れか一方の機能しか得ることができず、このため、人体に対する痛みの軽減効果が少ないという問題がある。
【０００６】
また、前者のベルトは、ベルト本体の全長にわたって多数の永久磁石を一定の間隔で埋設し、後者のベルトは、ベルト本体の身体当接面全長に無機ゲルマニウムを含有するシート材を固定しているため、永久磁石又はゲルマニウムの使用量が多くなり、人体のツボ以外の部分にある永久磁石又はゲルマニウムは実質的に無駄となり、材料コストが高くつくという問題がある。
【０００７】
更に、従来のベルトは、身体当接面全長がフラット面になっているので、巻着状態で人体のツボを刺激するという指圧機能は全くないと共に、後者のベルトにおいては、身体当接面全長にシート材が露見するので、製品としてのベルトの見た目が不体裁になる。
【０００８】
そこで、この考案の課題は、永久磁石とゲルマニウムの効果を相乗的に生かすことで、身体の痛みの原因を効果的に軽減することができると共に、身体のツボを刺激することで更に効果を向上させることができるベルトを提供することにある。
【課題を解決するための手段】
【０００９】
上記の課題を解決するため、この考案は、人体に巻着するベルト本体と、前記ベルト本体の長さ方向の略中央位置で、このベルト本体を形成する外皮材と内皮材の間に埋設した硬質板と、同じく前記外皮材と内皮材の間に埋設され、前記硬質板の内皮材に臨む面でベルト本体の長さ方向に沿って距離を隔てた両側の位置に固定した一対の突起部材とからなり、前記突起部材が、前記硬質板に固定した永久磁石と、この永久磁石の先端に固定したゲルマニウムとの組合わせによって形成され、前記ベルト本体における内皮材の突起部材に臨む部分が、この突起部材で外方に押出されることによって身体当接面側に突出する突出部になっているようにしたものである。
【００１０】
上記突起部材を形成する永久磁石が円板状となり、この永久磁石の先端に接着固定したゲルマニウムが無機の結晶を用い、永久磁石の先端面から半球状に突出する形状に形成されている構造とすることができる。
【００１１】
上記ベルト本体は、両端部に一対の係止手段が設けられ、身体の腰に巻く腰ベルトと、身体の首に巻く首ベルトと、身体の脚に巻く脚ベルトの内の何れか一つに形成されているようにすることができる。
【００１２】
ここで、上記ベルト本体は、各種皮革や合成樹脂シートを用いた帯状の外皮材と内皮材を重ね、両側縁を長さ方向に沿って縫着することで形成され、腰ベルトの場合、係止手段として一方端部に設けたバックルと他方端部側に設けた係止孔で形成され、また、首ベルトや脚ベルトの係止手段として、一対の面ファスナーやホック等を用いることができる。
【００１３】
また、硬質板に固定した一対の突起部材は、その間隔や突出高さは、身体の巻着する部位に応じて設定すればよく、例えば、腰ベルトの場合、身体の腰のツボに合わせ、５．５ｃｍ程度の間隔に設定し、突出高さは５〜６ｍｍ程度に設定し、ベルト本体を腰に巻着した状態で脊髄の両側に位置する腰のツボを押圧することができるようにする。
【考案の効果】
【００１４】
この考案によると、ベルト本体の長さ方向の略中央で両側の位置に一対の突起部材を埋設し、この突起部材を硬質板に固定した永久磁石と、この永久磁石の先端に固定したゲルマニウムとの組合わせによって形成したので、永久磁石の磁力線によって体内の血流を良くする作用と、ゲルマニウムによる生態電流の乱れを整える作用の相乗効果が得られ、腰や首、脚等の痛みやコリを効率よく解消することができる。
【００１５】
また、ベルト本体における内皮材の突起部材に臨む部分を、この突起部材で外方に押出すことによって身体当接面側に突出する突出部にしたので、ベルト本体を身体に巻着することで、突出部で身体のツボを押圧することができ、永久磁石とゲルマニウムに加えて指圧効果を加えることで、腰や首、脚等の痛みやコリを一段と効率よく解消することができる。
【００１６】
更に、ベルト本体の長さ方向の略中央位置両側に永久磁石とゲルマニウムからなる突起部材を設けたので、腰や首、脚の必要とするツボの位置に突起部材を有効に作用させることができ、突起部材の数を少なくして無駄を省くことでコストの低減が図れる。
【図面の簡単な説明】
【００１７】
【図１】（ａ）はこの考案に係るベルトの腰ベルトの例を示す斜視図、（ｂ）は腰ベルトの要部を拡大した内皮材側から見た正面図、（ｃ）は（ｂ）の矢印ｃ−ｃでの拡大した横断平面図
【図２】この考案に係るベルトの脚ベルトの例を示す斜視図
【考案を実施するための形態】
【００１８】
以下、この考案の実施の形態を図示例に基づいて説明する。
【００１９】
図示のように、ベルト１は、身体の腰や首、脚に巻着するベルト本体２と、このベルト本体２の長さ方向の略中央位置に埋設した硬質板３と、前記硬質板３に固定した一対の突起部材４とからなり、前記ベルト本体２は、各種皮革や合成樹脂シートを用いた帯状の外皮材２ａと内皮材２ｂを重ね、両側縁を長さ方向に沿って縫糸５で縫着することで形成され、内皮材２ｂが身体当接面側になる。
【００２０】
上記ベルト本体２は、両端部に一対の係止手段６が設けられ、図１（ａ）乃至（ｃ）の場合、ベルト１は人体の腰に巻く腰ベルトに形成した例を示し、前記係止手段６は一端に設けたバックル６ａと他端側に設けた複数の係止孔６ｂの組み合わせからなっている。
【００２１】
上記ベルト１は、腰ベルトだけでなく、図２の例に示すように、身体の首に巻く首ベルトや身体の脚に巻く脚ベルトのように帯状に形成することもでき、ベルト本体２はそれぞれの使用部分に巻きつけることができる長さと必要な幅を有し、その長さ方向の略中央部の位置に、図１（ｃ）で示した硬質板３と、この硬質板３に突設した一対の突起部材４が外皮材２ａと内皮材２ｂの間に埋設され、首ベルトや脚ベルトの場合における両端の係止手段６は、図示のような一対の面ファスナー６ｃ以外にホック等を使用することができる。
【００２２】
上記硬質板３は、金属や樹脂の薄板を用い、ベルト本体２の外皮材２ａと内皮材２ｂの間に納まる横長の矩形状に形成され、この硬質板３の内皮材２ｂに臨む面でベルト本体２の長さ方向に沿う両側の位置に一対の突起部材４が所定の間隔を設けて固定されている。
【００２３】
上記突起部材４は、図１（ｃ）に示すように、硬質板３に接着固定した円板状の永久磁石４ａと、この永久磁石４ａの先端側に接着固定したゲルマニウム４ｂとからなり、前記ゲルマニウム４ｂは無機の結晶を用い、永久磁石４ａの先端面から半球状に突出する形状に形成されている。
【００２４】
ちなみに、ベルト本体２が腰ベルトの場合、一対となる上記突起部材４の配置間隔は、身体における腰の脊髄を挟んで両側に位置するツボにあわせて５．５ｃｍ程度とし、また、突起部材４の突出長さは、５〜６ｍｍ程度に設定するのが好ましい。
【００２５】
なお、一対の突起部材４の間隔や突出高さは、身体の巻着する部位に応じて設定すればよく、首ベルトや脚ベルトの場合、首や脚にあるツボに合わせるようにする。
【００２６】
上記硬質板３とこれに固定した一対の突起部材４をベルト本体２の外皮材２ａと内皮材２ｂの間に埋設するとき、図１（ｃ）のように、内皮材２ｂの突起部材４に臨む部分が、この突起部材４で外方に押出されることによって身体当接面側に突出する突出部７になり、このとき硬質板３は、外皮材２ａ側に膨らみや突出部分が生じないようにする役目を果たし、ベルト本体２の外観が不体裁にならないようにしている。
【００２７】
この考案のベルト１は上記のような構成であり、図１に示した腰ベルトの場合、ズボンやスカートを着用したとき身体の腰に巻着して使用する。
【００２８】
腰ベルトを腰に巻着すると、ベルト本体２の略中央部両側で身体当接面側に突出する突出部７が、腰の脊髄を挟む両側のツボに臨み、この突出部７内に位置する突起部材４が永久磁石４ａとゲルマニウム４ｂで形成されているので、永久磁石４ａの磁力線によって体内の血流を良くする作用と、ゲルマニウム４ｂによる生態電流の乱れを整えて痛みの原因を取り除く作用の相乗効果が得られ、身体に対して後方に位置する永久磁石４ａの身体に向かう磁力線が、ゲルマニウム４ｂの機能を身体に作用させることになり、これによって、永久磁石４ａとゲルマニウム４ｂの機能を腰のツボに対して有効に作用させることで腰痛やコリを効率よく解消することができる。
【００２９】
また、ベルト本体２を腰に巻着することで一対の突起部材４を腰の後ろ側に位置するツボに当接させることができ、腰を背もたれに押付けたり、身体を前後動させたり捻るようにすると、突起部材４によって腰のツボを指圧のように押すことができ、上記した永久磁石４ａの磁力線による血行の改善と、ゲルマニウム４ｂでの生態電流の乱れを整えることによる痛みの原因を取り除く作用に指圧効果を加えることで、痛みやコリを一段と効率よく解消することができる。
【００３０】
なお、ベルト１の作用は腰ベルトの場合について述べたが、身体の首に巻く首ベルトの場合、首に直接巻いたり衣類の襟を介して巻きつけ、一対の突起部材４で首の後ろで両側に位置する首のツボを刺激することができ、また、身体の脚に巻く脚ベルトの場合は、脚の太ももで膝に近い位置に巻着し、一対の突起部材４で膝に近い両側のツボを刺激するものであり、首ベルトと脚ベルトにおいても、腰の場合と同様に首や脚の痛みやコリを一段と効率よく解消することができる。
【符号の説明】
【００３１】
１          ベルト
２          ベルト本体
２ａ        外皮材
２ｂ        内皮材
３          硬質板
４          突起部材
４ａ        永久磁石
４ｂ        ゲルマニウム
５          縫糸
６          係止手段
７          突出部
【図１】
0003168696.tif 000003
【図２】
0003168696.tif 000004